(57)【要約】【課題】  軒樋を軒先より距離をおいて設置しても充分な保持強度を確保し得る軒樋吊り具を提供する。【解決手段】  前方に突出した後耳係止部１を有する固定部２と、固定部２の上端部より前方に延設した軒樋支持腕部３と、軒樋支持腕部３の先端に設けられた前耳係止部４と、軒樋支持腕部３の前記前耳係止部４より後方に設けられた後耳脱落防止部５とを備えた軒樋吊り具Ａ１において、固定部２と軒樋支持腕部３とで形成される隅角部６を補強し得る補強斜材７を有するので、軒樋を装着支持した際に、固定部２による軒樋支持腕部３の充分な保持強度を確保でき、特に、積雪荷重等による固定部２と軒樋支持腕部３との連結部９の近傍での折れや割れを防止し得ることとなる。【選択図】図１
2005240277.tif 000002
【特許請求の範囲】
【請求項１】
前方に突出した後耳係止部を有する固定部と、前記固定部の上端部より前方に延設した軒樋支持腕部と、前記軒樋支持腕部の先端に設けられた前耳係止部と、前記軒樋支持腕部の前記前耳係止部より後方に設けられた後耳脱落防止部とを備えた軒樋吊り具において、前記固定部と前記軒樋支持腕部とで形成される隅角部を補強し得る補強斜材を有することを特徴とする軒樋吊り具。
【請求項２】
前記後耳係止部と前記補強斜材とで形成される隅角部を補強し得る補強リブを有することを特徴とする請求項１記載の軒樋吊り具。
【請求項３】
軒樋を装着支持した際に、該軒樋が、少なくとも前記補強リブ、前記補強斜材、前記軒樋支持腕部のいずれとも非接触となるように形成されていることを特徴とする請求項２記載の軒樋吊り具。
【発明の詳細な説明】
【技術分野】
【０００１】
本発明は、軒樋を軒先に吊り支持する軒樋吊り具に関するものである。
【背景技術】
【０００２】
軒樋を軒先に吊り支持する軒樋吊り具としては、例えば、実開平３−１２９６２８号公報、特開平１０−１４８０１５号公報、特開平１１−１３１７２４号公報等において開示されるように、従来より、各種形状、各種支持方式のものが知られている。かかる従来の軒樋吊り具の典型例としては、、例えば、図３、図４に示すもの等が例示可能である。ここで、図３は、従来例に係る軒樋吊り具Ａ０の構成の概略を示す斜視図である。また、図４は、従来例に係る軒樋吊り具Ａ０に軒樋８を装着支持した様子の概略を模式的に示す図である。
【０００３】
一方、住宅設計の多様化対応の一環として、軒樋を軒先より若干、距離をおいて設置したい等の要望がある。これに対して、例えば、図３及び図４に示す従来例に係る軒樋吊り具Ａ０の後耳係止部１及び軒樋支持腕部３を前方に、より長く突出せしめて対応しようとした場合、軒樋８を装着支持した際に、固定部２による軒樋支持腕部３自体の保持強度が不充分となり得ることに加えて、特に、軒樋８の後耳部１２の保持強度が不充分となり得るという問題に直面することとなる。
【特許文献１】実開平３−１２９６２８号公報
【特許文献２】特開平１０−１４８０１５号公報
【特許文献３】特開平１１−１３１７２４号公報
【発明の開示】
【発明が解決しようとする課題】
【０００４】
本発明は、上記背景技術に鑑みて発明されたものであり、その課題は、軒樋を軒先より距離をおいて設置しても、充分な保持強度を確保し得る軒樋吊り具を提供することにある。
【課題を解決するための手段】
【０００５】
上記課題を解決するために、請求項１に係る発明の軒樋吊り具にあっては、前方に突出した後耳係止部を有する固定部と、前記固定部の上端部より前方に延設した軒樋支持腕部と、前記軒樋支持腕部の先端に設けられた前耳係止部と、前記軒樋支持腕部の前記前耳係止部より後方に設けられた後耳脱落防止部とを備えた軒樋吊り具において、前記固定部と前記軒樋支持腕部とで形成される隅角部を補強し得る補強斜材を有することを特徴とするものである。
【０００６】
請求項２に係る発明の軒樋吊り具にあっては、請求項１記載の軒樋吊り具において、前記後耳係止部と前記補強斜材とで形成される隅角部を補強し得る補強リブを有することを特徴とするものである。
【０００７】
請求項３に係る発明の軒樋吊り具にあっては、請求項２記載の軒樋吊り具において、軒樋を装着支持した際に、該軒樋が、少なくとも前記補強リブ、前記補強斜材、前記軒樋支持腕部のいずれとも非接触となるように形成されていることを特徴とするものである。
【発明の効果】
【０００８】
本発明の軒樋吊り具では、前方に突出した後耳係止部を有する固定部と、前記固定部の上端部より前方に延設した軒樋支持腕部と、前記軒樋支持腕部の先端に設けられた前耳係止部と、前記軒樋支持腕部の前記前耳係止部より後方に設けられた後耳脱落防止部とを備えた軒樋吊り具において、前記固定部と前記軒樋支持腕部とで形成される隅角部を補強し得る補強斜材を有するので、軒樋を装着支持した際に、固定部による軒樋支持腕部の充分な保持強度を確保でき、特に、積雪荷重等による前記固定部と前記軒樋支持腕部との連結部近傍での折れや割れを防止し得ることとなる。
【発明を実施するための最良の形態】
【０００９】
以下、本発明の実施形態を図面に基づき説明する。尚、本発明の軒樋吊り具は、下記の実施形態にのみ限定されるものではなく、本発明の要旨を逸脱しない範囲内において種々変更を加え得ることは勿論である。ここで、図１は、本発明の一実施形態である軒樋吊り具Ａ１の構成の概略を示す斜視図である。図２は、本発明の一実施形態である軒樋吊り具Ａ１に軒樋８を装着支持した様子の概略を模式的に示す図である。
【００１０】
即ち、図１に示すように、本実施形態の軒樋吊り具Ａ１は、前方（屋外方向）に突出した後耳係止部１を有する固定部２と、この固定部２の上端部より前方に延設した軒樋支持腕部３と、この軒樋支持腕部３の先端に設けられた前耳係止部４と、軒樋支持腕部３の前耳係止部４より後方に設けられた後耳脱落防止部５とを備えた軒樋吊り具であり、さらに、固定部２と軒樋支持腕部３とで形成される隅角部６を補強し得る補強斜材７を有するものである。
【００１１】
すなわち、かかる補強斜材７を具備する結果、図２に示すように、本実施形態の軒樋吊り具Ａ１は、前述した図３、図４に示す従来例に係る軒樋吊り具Ａ０と比較して、後耳係止部１及び軒樋支持腕部３を前方により長く突出せしめているが、軒樋８を装着支持した際に、固定部２による軒樋支持腕部３の充分な保持強度を確保でき、特に、積雪荷重等による前記固定部２と前記軒樋支持腕部３との連結部９近傍での折れや割れを防止し得ることとなる。
【００１２】
一方、本実施形態の軒樋吊り具Ａ１は、後耳係止部１と補強斜材７とで形成される隅角部１０を補強し得る補強リブ１１を有するものである。この結果、図２に示すように、軒樋８を装着支持した場合においても、従来例に係る軒樋吊り具Ａ０と比較して、後耳係止部１及び軒樋支持腕部３を前方に長く突出せしめても、後耳係止部１にかかる下方荷重によって隅角部６近傍での折れや割れが発生することなく、充分な保持強度を確保し得ることとなる。具体的には、本実施形態の軒樋吊り具Ａ１の場合、従来例に係る軒樋吊り具Ａ０と比較して、少なくとも約２０ｍｍ程度までは、後耳係止部１及び軒樋支持腕部３を前方に長く突出せしめても上記保持強度を確保し得ることとなる。
【００１３】
さらに、本実施形態の軒樋吊り具Ａ１は、軒樋８を装着支持した際に、軒樋８が、少なくとも前記補強リブ１１、前記補強斜材７、前記軒樋支持腕部３のいずれとも非接触となるように形成しているものである。換言すれば、これは、後耳係止部１と、補強リブ１１と、補強斜材７と、軒樋支持腕部３と、後耳脱落防止部５とで包囲される空間が、軒樋８を装着支持した際に、軒樋８（特に、その後耳部１２）が、少なくとも補強リブ１１、補強斜材７、軒樋支持腕部３のいずれとも非接触状態を保持し得るに充分な程、広く形成されているというものである。この結果、軒樋８を軒樋吊り具Ａ１に装着支持した際、軒樋８の後耳部１２が、軒樋吊り具Ａ１に対して、不必要な接触をすることを防止でき、軒樋８のスライド性が向上するとともに、軒樋８の後耳部１２から発生するガタツキをも防止し得ることとなる。
【００１４】
また、本実施形態の軒樋吊り具Ａ１は、保持強度を確保し得る上記のような構造上の特徴を有するため、従来例に係る前述の軒樋吊り具Ａ０と比較して、後耳係止部１及び軒樋支持腕部３を前方により長く突出せしめても軒樋８の前後方向のずれやガタツキを防止し得ることとなる。
【００１５】
一方、本発明の軒樋吊り具を構成し得る材料については、各種金属類、合成樹脂材料等が例示可能であり、上記保持強度等の必要特性を確保し得る素材であれば、特に限定されず、上記課題解決に寄与する限りにおいて何ら制約のないことはいうまでもないが、軽量化が図れ、成形加工の容易な点等を考慮すれば、合成樹脂材料が好適に使用可能である。
【図面の簡単な説明】
【００１６】
【図１】本発明の一実施形態である軒樋吊り具Ａ１の構成の概略を示す斜視図である。
【図２】本発明の一実施形態である軒樋吊り具Ａ１に軒樋８を装着支持した様子の概略を模式的に示す図である。
【図３】従来例に係る軒樋吊り具Ａ０の構成の概略を示す斜視図である。
【図４】従来例に係る軒樋吊り具Ａ０に軒樋８を装着支持した様子の概略を模式的に示す図である。
【符号の説明】
【００１７】
１    後耳係止部
２    固定部
３    軒樋支持腕部
４    前耳係止部
５    後耳脱落防止部
６    隅角部
７    補強斜材
８    軒樋
９    連結部
１０    隅角部
１１    補強リブ
１２    後耳部（軒樋８）
Ａ０    軒樋吊り具
Ａ１    軒樋吊り具
【図１】
2005240277.tif 000003
【図２】
2005240277.tif 000004
【図３】
2005240277.tif 000005
【図４】
2005240277.tif 000006